(57)【特許請求の範囲】
【請求項１】
回転子及び固定子を有し、
前記回転子は、
柱状の回転子コアと、
前記回転子コアの周方向において互いに間隔を空けて、前記回転子コアの外周面に配置された複数の永久磁石と、
前記回転子コア及び複数の前記永久磁石を外周側から囲み、前記永久磁石よりも導電率が高い導電性材料で構成された筒状の筒型導電性部材と、
前記回転子コア、複数の前記永久磁石及び前記筒型導電性部材を外周側から囲む筒状の保持部材とを備え、
前記固定子は、前記回転子コアの径方向において、間隔を空けて前記回転子を囲む筒状であり、内周面に複数のスロットを備え、
前記筒型導電性部材には、前記導電性材料が部分的に欠損している欠損部が、前記回転子コアの周方向に沿って前記スロットと同数等間隔で形成されて、複数の前記欠損部で構成される欠損部群が設けられていることを特徴とする回転電機。
【請求項２】
前記欠損部群は、前記筒型導電性部材に形成された前記スロットと同数の穴を含むことを特徴とする請求項１に記載の回転電機。
【請求項３】
前記筒型導電性部材には、前記筒型導電性部材の軸方向において前記筒型導電性部材全体に跨がるスリットが一つ設けられており、
前記欠損部群は、前記筒型導電性部材に形成された前記スロットの数よりも１少ない穴、及び前記スリットを含むことを特徴とする請求項１に記載の回転電機。
【請求項４】
複数の前記欠損部の各々は、前記回転子コアの周方向に対して斜め方向に延びており、
複数の前記欠損部の各々の一端部と他端部とは、前記回転子コアの周方向の位置が前記スロット一つ分ずれていることを特徴とする請求項２又は３に記載の回転電機。
【請求項５】
複数の前記永久磁石と前記筒型導電性部材との間に充填された充填材を有し、
前記充填材は、電気絶縁性を有することを特徴とする請求項１から３のいずれか１項に記載の回転電機。
【請求項６】
複数の前記永久磁石同士の間及び前記欠損部の少なくとも一方に充填された充填材を有することを特徴とする請求項１から３のいずれか１項に記載の回転電機。
【請求項７】
前記筒型導電性部材の外周面において前記欠損部群が占める面積の割合は、０％よりも大きくかつ８０％以下であることを特徴とする請求項１から６のいずれか１項に記載の回転電機。
【発明の詳細な説明】
【技術分野】
【０００１】
本発明は、回転子コアの外周部に永久磁石が設けられている回転子を用いた回転電機に関する。
【背景技術】
【０００２】
従来、回転子コアの外周部に永久磁石を設置した回転子では、回転時に発生する遠心力により、回転子コアから永久磁石を剥離させる力が加わる。このため、永久磁石が回転子コアから剥離することを防止するために、永久磁石の外側から回転子コア及び永久磁石を繊維強化プラスチックの保持部材でまとめて覆う構造が取られることがある。【０００３】
また、高速回転用の回転電機では、インバータを用いたパルス幅変調（Pulse  Width  Modulation,  PWM）制御が行われると、キャリア周波数成分の高調波磁束が生じるため、回転子コア及び永久磁石に渦電流が発生し、回転子が発熱してしまう。回転子が発熱すると、永久磁石の温度が上昇して、永久磁石が発生させる磁束が減少する。【０００４】
特許文献１には、回転子での発熱を抑制するために、回転子コア及び永久磁石を、回転子コア及び永久磁石よりも導電率が高い筒型導電性部材で巻き込んだ回転子が提案されている。特許文献１に開示される回転子は、固定子で発生したキャリア周波数成分の高調波磁束を筒型導電性部材と鎖交させることにより、永久磁石に達する高調波磁束を低減し、永久磁石の減磁を抑制している。
【先行技術文献】
【特許文献】
【０００５】
【特許文献１】特許第６３２８３４９号公報
【発明の概要】
【発明が解決しようとする課題】
【０００６】
しかしながら、特許文献１に開示される回転子は、キャリア周波数成分の高調波により生じる渦電流損の抑制に効果がある一方、固定子スロット開口部の磁気抵抗の変動によって発生するスロット高調波により生じる渦電流損が筒型導電性部材に生じる。以下、キャリア周波数成分の高調波により生じる渦電流損をキャリア高調波損という。また、スロット高調波により生じる渦電流損をスロット高調波損という。【０００７】
スロット高調波損は、固定子と回転子とのギャップが大きいほど小さくなる。高速回転する回転電機においては、固定子と回転子とのギャップは大きく設定されているため、スロット高調波損は、キャリア高調波損に比べて小さい値となる。しかし、さらなる高速化を実現するためには、固定子巻線の巻き数を低下させる必要があるため、モータインダクタンスが小さくなり、キャリア高調波損が増大する。キャリア高調波損の増大を抑えるためには、筒型導電性部材を厚くする必要があるが、筒型導電性部材を厚くすると固定子と回転子とのギャップが小さくなるため、スロット高調波損が増大してしまう。このように、筒型導電性部材を備える構造の回転子においては、キャリア高調波損とスロット高調波損とを同時に低減することは困難であった。【０００８】
本発明は、上記に鑑みてなされたものであって、キャリア高調波損とスロット高調波損とを同時に低減できる回転電機を得ることを目的とする。
【課題を解決するための手段】
【０００９】
上述した課題を解決し、目的を達成するために、本発明は、回転子及び固定子を有する。回転子は、柱状の回転子コアと、回転子コアの周方向において互いに間隔を空けて、回転子コアの外周面に配置された複数の永久磁石と、回転子コア及び複数の永久磁石を外周側から囲み、永久磁石よりも導電率が高い導電性材料で構成された筒状の筒型導電性部材と、回転子コア、複数の永久磁石及び筒型導電性部材を外周側から囲む筒状の保持部材とを備える。固定子は、回転子コアの径方向において、間隔を空けて回転子を囲む筒状であり、内周面に複数のスロットを備える。筒型導電性部材には、導電性材料が部分的に欠損している欠損部が、回転子コアの周方向に沿ってスロットと同数等間隔で形成されて、複数の欠損部で構成される欠損部群が設けられている。
【発明の効果】
【００１０】
本発明に係る回転電機は、キャリア高調波損とスロット高調波損とを同時に低減できるという効果を奏する。
【図面の簡単な説明】
【００１１】
【図１】本発明の実施の形態１に係る回転電機の回転軸に垂直な断面図
【図２】実施の形態１に係る回転電機の回転軸を含む断面図
【図３】実施の形態１に係る回転電機の回転子と固定子とが対向する部分の拡大図
【図４】実施の形態１に係る回転電機の筒型導電性部材の斜視図
【図５】実施の形態１に係る回転子にキャリア高調波磁束が鎖交している状態を示す図
【図６】実施の形態１の比較例に係る回転電機の回転子と固定子とが対向する部分の拡大図
【図７】実施の形態１に係る回転電機の回転子と固定子とが対向する部分の拡大図
【図８】本発明の実施の形態２に係る回転子の筒型導電性部材の展開図
【図９】実施の形態２に係る回転電機の筒型導電性部材を筒状に丸めた状態を示す斜視図
【図１０】本発明の実施の形態３に係る回転子の筒型導電性部材の斜視図
【図１１】実施の形態３の変形例にかかる筒型導電性部材の展開図
【図１２】実施の形態３の変形例に係る筒型導電性部材を筒状に丸めた状態を示す図
【図１３】本発明の実施の形態４に係る回転電機の固定子と回転子とが対向する部分の拡大図
【図１４】本発明の実施の形態５に係る回転電機の筒型導電性部材の外周面における導電部の割合と、回転子損失との関係を示す図
【発明を実施するための形態】
【００１２】
以下に、本発明の実施の形態に係る回転電機を図面に基づいて詳細に説明する。なお、この実施の形態によりこの発明が限定されるものではない。
【００１３】
実施の形態１．
図１は、本発明の実施の形態１に係る回転電機の回転軸に垂直な断面図である。図２は、実施の形態１に係る回転電機の回転軸を含む断面図である。図２は、図１中のII-II線に沿った断面を示している。回転電機１は、回転子２と、回転子２を取り囲む筒状の固定子３とを有する。回転子２は、シャフト２１と、永久磁石２２と、筒型導電性部材２３と、保持部材２４とを有する。固定子３は、磁性体であり筒状の固定子コア４と、固定子コイル５とを有する。回転子２及び固定子３は、同軸に配置されている。したがって、回転子２及び固定子３は、図２に示すように中心軸αを共有している。図２に示すように、中心軸αに沿った方向である軸線方向における固定子コア４の中心位置において中心軸αに直交する軸線直交線βに関して、回転子２及び固定子３の各々は、対称形である。回転子２は、不図示のベアリングによって、中心軸αを中心に回転可能に支持されている。
【００１４】
固定子コア４は、筒状のバックヨーク４１と、バックヨーク４１の内周部から径方向内側へ突出する複数のティース４２とを有する。ティース４２の各々は、回転電機１の周方向について互いに間隔を置いて配置されている。ティース４２の各々の間には、固定子３の径方向内側へ開放された空間であるスロット４３が形成されている。
【００１５】
固定子コイル５は、スロット４３に配置されている。固定子コイル５は、図２に示すように、軸線方向において固定子コア４から突出するコイルエンド５ａを有している。固定子コイル５には、回転電機１を制御する不図示のインバータを用いたＰＷＭ制御によって電流が供給される。固定子３には、固定子コイル５への給電により回転磁界が生じる。
【００１６】
図３は、実施の形態１に係る回転電機の回転子と固定子とが対向する部分の拡大図である。図４は、実施の形態１に係る回転電機の筒型導電性部材の斜視図である。回転子２は、回転子コアを兼ねるシャフト２１と、シャフト２１の外周部に配置された複数の永久磁石２２と、シャフト２１及び複数の永久磁石２２をまとめて外周側から囲む筒状の筒型導電性部材２３と、シャフト２１、複数の永久磁石２２及び筒型導電性部材２３をまとめて外周側から囲むシート状の保持部材２４とを有する。
【００１７】
シャフト２１は、柱状である。シャフト２１は、磁性材料を用いて形成されている。
【００１８】
複数の永久磁石２２は、回転子２の周方向において互いに間隔を空けて配置されている。図１に示すように、実施の形態１に係る回転電機１では、四つの永久磁石２２が回転子２の周方向において等間隔で配置されている。永久磁石２２の各々は、シャフト２１の外周面に沿った円弧状の断面を持つセグメント磁石である。永久磁石２２は、希土類磁石又はフェライト磁石を適用できるが、これに限定されない。回転子２の周方向において互いに隣り合う永久磁石２２同士の間には、磁石間領域２５が形成されている。磁石間領域２５は、空気であってもよいし、磁石間領域２５に樹脂材料又は鉄系材料の極間部材が設けられていてもよい。
【００１９】
図１に示すように、筒型導電性部材２３は、永久磁石２２の各々の外周面に重なった状態で永久磁石２２及び磁石間領域２５を覆っている。すなわち、筒型導電性部材２３は、シャフト２１及び永久磁石２２の各々よりも固定子３に近い位置に配置されている。これにより、筒型導電性部材２３は、永久磁石２２及び磁石間領域２５のそれぞれと保持部材２４との間に配置されている。筒型導電性部材２３の導電率は、永久磁石２２の導電率よりも高い。筒型導電性部材２３は、銅又はアルミニウムを材料に用いて形成できるが、これに限定はされない。
【００２０】
また、図３及び図４に示すように、筒型導電性部材２３には、導電性材料が部分的に欠損している欠損部である穴２３１が、シャフト２１の周方向に沿って固定子３のスロット４３と同数等間隔で形成されることにより、複数の穴２３１で構成される欠損部群が設けられている。以下、複数の欠損部全体を指す場合には、欠損部群という。実施の形態１において、穴２３１は、図４に示すように四隅が丸められた矩形状である。矩形の四隅を丸めることにより、四隅の角部に発生する応力を軽減し、筒型導電性部材２３の破損を抑制することができる。
【００２１】
図１に示すように、保持部材２４は、筒型導電性部材２３の外周面に重なった状態で、シャフト２１、複数の永久磁石２２及び筒型導電性部材２３を回転子２の周方向の全周にわたって覆っている。したがって、回転子２の高速回転時に永久磁石２２が遠心力でシャフト２１から飛散することは防止される。保持部材２４は、非磁性材料を用いて形成されている。保持部材２４の材料には、炭素繊維強化プラスチック（Carbon  Fiber  Reinforced  Plastics,  CFRP）、ガラス繊維強化プラスチック（Glass  Fiber  Reinforced  Plastics,  GFRP）、チタン又はステンレス鋼を適用できるが、これらに限定はされない。
【００２２】
次に、回転子２を組み立てる手順について説明する。シャフト２１の外周部に複数の永久磁石２２を取り付けた後、シャフト２１及び複数の永久磁石２２の外周に筒状の筒型導電性部材２３を被せる。これにより、複数の永久磁石２２の外周が筒型導電性部材２３で覆われる。次に、シャフト２１、複数の永久磁石２２及び筒型導電性部材２３を、筒型導電性部材２３の径方向外側からシート状の保持部材２４でまとめて巻く。これにより、筒型導電性部材２３の外周が保持部材２４で覆われ、回転子２が完成する。
【００２３】
次に、回転電機１の動作について説明する。不図示のインバータからＰＷＭ制御により固定子コイル５に電流が供給されると、固定子３に回転磁界が生じる。固定子３に回転磁界が生じると、回転子２が中心軸αを中心に回転する。
【００２４】
ＰＷＭ制御によって固定子コイル５に供給される電流は、キャリア周波数に起因するキャリア高調波成分を含んでいる。キャリア高調波成分を含む電流が固定子コイル５に供給されると、トルクに寄与する基本波磁束に加えて、キャリア高調波成分によるキャリア高調波磁束も固定子３で発生する。
【００２５】
また、固定子コイル５が作る磁束は、バックヨーク４１及びティース４２を通り、回転子２に鎖交する。固定子３の内周面は、透磁率の高いティース４２と透磁率の低いスロット４３とが交互に配置されており、回転子２が回転した際、磁気抵抗の変動が発生し、スロット高調波磁束が回転子２に鎖交する。
【００２６】
次に、キャリア高調波損失を抑制する作用について説明する。図５は、実施の形態１に係る回転子にキャリア高調波磁束が鎖交している状態を示す図である。固定子３で発生したキャリア高調波磁束Ｐ１が筒型導電性部材２３と鎖交すると、筒型導電性部材２３に渦電流Ｃが発生する。筒型導電性部材２３に渦電流Ｃが発生すると、渦電流による磁束がキャリア高調波磁束Ｐ１を打ち消す方向へ発生する。これにより、シャフト２１及び永久磁石２２と鎖交するキャリア高調波磁束Ｐ１が低減され、シャフト２１及び永久磁石２２での発熱が低減される。筒型導電性部材２３は、渦電流Ｃの発生によって発熱するが、筒型導電性部材２３の導電率が永久磁石２２の導電率よりも高いため、キャリア高調波磁束Ｐ１が永久磁石２２と鎖交した場合の永久磁石２２の発熱に比べて、筒型導電性部材２３の発熱は小さい。これにより、回転子２の全体の発熱が低減される。なお、図５においては、キャリア高調波磁束Ｐ１を矢印で示している。また、図５においては、紙面の奥側から手前側に向けて流れる渦電流Ｃを白丸内に黒丸印を付した記号で示し、紙面の手前側から奥側に向けて流れる渦電流Ｃを白丸内に×印を付した記号で示している。
【００２７】
次に、スロット高調波損失の抑制メカニズムについて、実施の形態１に係る回転子２と比較例にかかる回転子１０２とを比較して検討する。比較例に係る回転子１０２は、筒型導電性部材１２３に穴が形成されていない点で、実施の形態１に係る回転子２と相違する。図６は、実施の形態１の比較例に係る回転電機の回転子と固定子とが対向する部分の拡大図である。図６は、回転子１０２と固定子１０３とが向かい合う部分を平面上に展開して示している。なお、説明の便宜上、回転子１０２の任意の点を点Ａとし、点Ａから等間隔で点Ｂから点Ｅを設けている。また、図６においては、回転子１０２と固定子１０３との間で鎖交する磁束を矢印で示している。ティース１４２が筒型導電性部材１２３に対して平行に移動することにより、筒型導電性部材１２３のうち回転方向においてティース１４２よりも前方及び後方の部分に渦電流が発生する。渦電流が発生している箇所では、固定子コイル１０５の磁束は打ち消される。ティース１４２が移動することにより、渦電流が発生する箇所は移動するため、固定子コイル１０５の磁束が筒型導電性部材１２３を通過する箇所も移動する。
【００２８】
時刻ｔ１において点Ａと点Ｂとの間を鎖交する磁束量Ｐ２１と、時刻ｔ２において点Ａと点Ｂとの間を鎖交する磁束量Ｐ２２とを比較するとＰ２１＜Ｐ２２である。また、時刻ｔ１において点Ｂと点Ｃとの間を鎖交する磁束量Ｐ２１と、時刻ｔ２において点Ｂと点Ｃとの間を鎖交する磁束量Ｐ２２とを比較するとＰ２１＞Ｐ２２である。
【００２９】
他の点間においても同様に、時刻の変化に伴い鎖交する磁束量が変化し、渦電流が生じる。このため、筒型導電性部材１２３には、スロット高調波損失が発生する。なお、図６においては、回転子１０２と固定子１０３との間で鎖交する磁束を矢印で示している。また、図６においては、紙面の奥側から手前側に向けて流れる渦電流Ｃを白丸内に黒丸印を付した記号で示し、紙面の手前側から奥側に向けて流れる渦電流Ｃを白丸内に×印を付した記号で示している。
【００３０】
図７は、実施の形態１に係る回転電機の回転子と固定子とが対向する部分の拡大図である。図７は、回転子２と固定子３とが向かい合う部分を平面上に展開して示している。なお、説明の便宜上、回転子２の任意の点を点Ａとし、点Ａからティース４２の間隔と同じ間隔で点Ｂ及び点Ｃを設けている。また、図７においては、回転子２と固定子３との間の領域で鎖交する磁束を矢印で示している。ティース４２は等間隔で設けられているため、筒型導電性部材２３の各点からあるティース４２が遠ざかると、別のティース４２が同じだけ近づく。このため、時刻ｔ１において点Ａと点Ｂとの間を鎖交する磁束量Ｐ２１と、時刻ｔ２において点Ａと点Ｂとの間を鎖交する磁束量Ｐ２２とを比較すると、Ｐ２１≒Ｐ２２である。また、時刻ｔ１において点Ｂと点Ｃとの間を鎖交する磁束量Ｐ２１と、時刻ｔ２において点Ｂと点Ｃとの間を鎖交する磁束量Ｐ２２とを比較すると、Ｐ２１≒Ｐ２２である。他の点間においても同様の検討をすると比較例に係る回転電機とは異なり、実施の形態１に係る回転電機１では、筒型導電性部材１２３に渦電流が発生しない。したがって、実施の形態１に係る回転子２は、筒型導電性部材２３にスロット高調波損失が発生することを抑制できる。
【００３１】
以上の検討から、比較例に係る回転子１０２においては、スロット高調波損失が増大し、実施の形態１に係る回転子２よりも永久磁石１２２が発熱しやすいことが分かる。実施の形態１に係る回転子２は、キャリア高調波損失とスロット高調波損失とを同時に抑制することで、永久磁石２２が発熱しにくくすることができる。したがって、実施の形態１に係る回転子２は、永久磁石２２の減磁を抑制することができる。
【００３２】
なお、図２に示した回転子２は、筒型導電性部材２３の軸線方向の寸法Ｌａが、永久磁石２２の軸線方向の寸法Ｌｍと同じであるが、筒型導電性部材２３の軸線方向の寸法Ｌａを永久磁石２２の軸線方向の寸法Ｌｍよりも長くしてもよい。筒型導電性部材２３の軸線方向の寸法Ｌａを永久磁石２２の軸線方向の寸法Ｌｍよりも長くすることにより、筒型導電性部材２３に生じる渦電流の経路をさらに長くすることができ、キャリア高調波磁束Ｐ１を低減させる効果をさらに高めることができる。
【００３３】
実施の形態２．
図８は、本発明の実施の形態２に係る回転子の筒型導電性部材の展開図である。図９は、実施の形態２に係る回転電機の筒型導電性部材を筒状に丸めた状態を示す斜視図である。実施の形態２に係る回転子２は、筒型導電性部材２３の構造が異なる他は、実施の形態１に係る回転子２と同様である。実施の形態２に係る回転子２は、回転子コアであるシャフト２１と、シャフト２１の外周部に設けられている複数の永久磁石２２と、シャフト２１及び複数の永久磁石２２をまとめて外周側から囲む筒型導電性部材２３と、シャフト２１、複数の永久磁石２２及び筒型導電性部材２３をまとめて外周側から囲むシート状の保持部材２４とを有する。
【００３４】
図８に示すように、筒型導電性部材２３は、展開状態では矩形のシート状である。図９に示すように、筒型導電性部材２３には、固定子３のスロット数よりも一つ少ない数の穴２３１が、筒状に丸めた状態での周方向に等間隔で形成されている。
【００３５】
実施の形態２に係る回転子２を組み立てる手順について説明する。シャフト２１の外周部に複数の永久磁石２２を取り付けた後、シャフト２１及び複数の永久磁石２２の外周に筒型導電性部材２３を巻き付ける。これにより、複数の永久磁石２２の外周が筒状の筒型導電性部材２３で覆われる。筒型導電性部材２３の周方向の両端部は、周方向に互いに離して対向させる。これにより、筒型導電性部材２３の周方向の両端部は、周方向に互いに対向する第１の対向部２３２及び第２の対向部２３３をなし、第１の対向部２３２と第２の対向部２３３との間の空間は、筒型導電性部材２３の軸方向において筒型導電性部材２３全体に跨がるスリット２６をなす。スリット２６の数と穴２３１の数とを合わせると、筒状に丸めた筒型導電性部材２３は、固定子３のスロット数と同数の欠損部で構成される欠損部群を備える。次に、シャフト２１、複数の永久磁石２２及び筒型導電性部材２３を、筒型導電性部材２３の外周側からシート状の保持部材２４でまとめて巻く。これにより、筒型導電性部材２３の外周が保持部材２４で覆われ、回転子２が完成する。
【００３６】
実施の形態２に係る回転子２は、シャフト２１及び複数の永久磁石２２をまとめて筒型導電性部材２３で巻くだけで、筒型導電性部材２３を回転子２に組み込むことができる。したがって、筒型導電性部材２３の形状を単純にできるだけでなく、筒型導電性部材２３の回転子２への取り付け作業をも容易にすることもできる。このため、実施の形態２に係る回転子２は、容易に製造できる。
【００３７】
実施の形態３．
図１０は、本発明の実施の形態３に係る回転子の筒型導電性部材の斜視図である。実施の形態３に係る回転子２の筒型導電性部材２３は、穴２３１にスキューが設けられている点で実施の形態１に係る回転子２と相違する。穴２３１のスキューの大きさは、軸線方向に対して固定子３のスロット一つ分である。すなわち、欠損部である穴２３１は、回転子コアであるシャフト２１の軸方向の一端部と他端部との間で、シャフト２１の周方向の位置がスロット一つ分ずれている。
【００３８】
筒型導電性部材２３の穴２３１にスキューを設けることにより、穴２３１を鎖交するスロット高調波磁束Ｐ２の変動をさらに抑制し、スロット高調波損失を低減することができる。
【００３９】
図１１は、実施の形態３の変形例にかかる筒型導電性部材の展開図である。図１２は、実施の形態３の変形例に係る筒型導電性部材を筒状に丸めた状態を示す図である。実施の形態２のようにシート状の筒型導電性部材２３の穴２３１にスキューを設ける場合には、筒型導電性部材２３を平行四辺形にすることにより、第１の対向部２３２と第２の対向部２３３との間のスリット２６にもスキューを設けることができる。筒型導電性部材２３の穴２３１及びスリット２６にスキューを設けることにより、穴２３１及びスリット２６を鎖交するスロット高調波磁束Ｐ２の変動をさらに抑制し、スロット高調波損失を低減することができる。
【００４０】
実施の形態４．
図１３は、本発明の実施の形態４に係る回転電機の固定子と回転子とが対向する部分の拡大図である。実施の形態４に係る回転電機１は、筒型導電性部材２３の穴２３１及びスリット２６に充填された充填材３２を有する点で、実施の形態２に係る回転電機１と相違する。充填材３２は、電気絶縁材である。
【００４１】
充填材３２は、磁石間領域２５に充填されてもよいし、磁石間領域２５には充填されなくてもよい。また、充填材３２は、筒型導電性部材２３と保持部材２４との間に充填されてもよいし、筒型導電性部材２３と保持部材２４との間には充填されなくてもよい。
【００４２】
充填材３２は、複数の永久磁石２２の各々の外周面に重なった状態で、シャフト２１及び複数の永久磁石２２をまとめて囲んでいる。したがって、筒型導電性部材２３は、充填材３２により、永久磁石２２と電気的に絶縁されている。
【００４３】
永久磁石２２と筒型導電性部材２３とを電気的に絶縁することにより、筒型導電性部材２３と永久磁石２２との間に渦電流が流れることを防止することができる。したがって、実施の形態４に係る回転電機１は、回転子２における渦電流損失及び発熱を抑制することができ、永久磁石２２の減磁を抑制することができる。
【００４４】
筒型導電性部材２３が永久磁石２２に接触している場合、筒型導電性部材２３と永久磁石２２との界面では、接触抵抗が高くなっている。したがって、筒型導電性部材２３と永久磁石２２との界面に渦電流が流れると、大きな渦電流抵抗が生じ、渦電流による磁束によって高調波磁束を低減させる効果が小さくなってしまう。また、筒型導電性部材２３と永久磁石２２との界面で発熱しやすくなり、永久磁石２２が減磁されやすくなる。これに対して、実施の形態４に係る回転電機１は、筒型導電性部材２３と永久磁石２２との間で渦電流が流れることを充填材３２によって防止するため、回転子２での渦電流損失及び発熱を抑制でき、永久磁石２２の減磁をさらに低減できる。
【００４５】
なお、磁石間領域２５に金属材料等の筒型導電性部材２３が配置されている場合は、筒型導電性部材２３と磁石間領域２５との間を充填材３２が電気的に絶縁することにより、筒型導電性部材２３と磁石間領域２５との間で渦電流が流れることを充填材３２によって防止し、永久磁石２２の減磁をさらに低減できる。
【００４６】
実施の形態４において、永久磁石２２の外周面に筒型導電性部材２３を接着固定する接着剤が充填材３２であってもよい。接着剤は、電気絶縁性能に優れたエポキシ樹脂系又はシリコン樹脂系の接着剤が好ましいが、これらに限定はされない。
【００４７】
充填材３２は、軸線方向において筒型導電性部材２３の全範囲にわたって配置されることが好ましい。すなわち、充填材３２の軸線方向の寸法と筒型導電性部材２３の軸線方向の寸法Ｌａとが等しいことが好ましい。
【００４８】
実施の形態４に係る回転電機１は、穴２３１及びスリット２６に電気絶縁材の充填材３２が配置されているため、穴２３１及びスリット２６では充填材３２が保持部材２４を支えることができる。したがって、充填材３２が無い場合と比べて、保持部材２４への応力集中を緩和でき、保持部材２４の破損を防止できる。
【００４９】
なお、充填材３２と筒型導電性部材２３との比重差が大きい場合には、回転子２の回転時の遠心力の違いから保持部材２４に応力集中が生じてしまう可能性がある。したがって、応力集中を避けるためには、充填材３２と筒型導電性部材２３との比重差が小さいほど好ましい。充填材３２の比重と筒型導電性部材２３の比重とが同じであれば、比重差に起因する応力集中の発生を防止することができる。
【００５０】
実施の形態５．
図１４は、本発明の実施の形態５に係る回転電機の筒型導電性部材の外周面における導電部の割合と、回転子損失との関係を示す図である。図１４においては、筒型導電性部材２３の厚さを変えて四つの折れ線を示している。実施の形態５に係る回転子２の構造は、筒型導電性部材２３の外周面における導電部の割合が規定されていることを除いて実施の形態１に係る回転子２と同様である。なお、筒型導電性部材２３の導電部とは、導電性材料が存在する部分である。また、筒型導電性部材２３の外周面とは、導電性材料が存在する部分の面積と欠損部群の面積とを合わせた面積である。図１４において、導電部の割合が１であることは、欠損部が存在せず、筒型導電性部材２３の外周面が全て導電部であることを意味している。筒型導電性部材２３の電気抵抗率をρ、筒型導電性部材２３の透磁率をμ、回転電機１を駆動させるインバータのキャリア周波数をωｃとすると、キャリア高調波磁束に反応した渦電流が筒型導電性部材２３に流れる時の筒型導電性部材２３の表皮深さｄは、下記式（１）で定義される。
ｄ＝√（２ρ／ωｃμ）  ・・・（１）
【００５１】
図１４においては、上記式（１）で示した表皮深さｄで筒型導電性部材２３の厚みｔを割った値ｔ／ｄを変更し、各ｔ／ｄにおける導電部の割合と回転子損失の関係を示している。図１４における縦軸は、穴２３１がない時の損失で規格化した値を縦軸に用いている。つまり、図１４における縦軸は、導電部の割合が１の時の損失で規格化した値を用いている。横軸である導電部の割合ｃは、筒型導電性部材２３の外周面における導電部の面積をａ、穴２３１の面積をｂとした時に下記式（２）で定義される。
ｃ＝ａ／（ａ＋ｂ）  ・・・（２）
【００５２】
図１４に示すように、各ｔ／ｄで導電部の割合ｃが減少するにつれて、回転子損失が低減する。すなわち穴２３１の面積が増加するにつれて回転子損失が低減する。これは、穴２３１を形成することによりスロット高調波損失が低減するためである。さらに穴２３１の面積が増加すると回転子損失は増加に転じる。これは筒型導電性部材２３の導電部の面積が減少することでスロット高調波損失は低減するものの、キャリア高調波損失は増加するためである。各ｔ／ｄで損失が最小となる導電部の割合ｃが存在していることが分かる。ｔ／ｄが大きいほどスロット高調波損失が支配的となるため、導電部の割合ｃが小さい値で回転子損失が最小となっており、ｔ／ｄが小さいほどキャリア高調波損失が支配的となるため、導電部の割合ｃが大きい値で回転子損失が最小となっている。
【００５３】
図１４においてどのｔ／ｄにおいても、０．２＜ｃ＜１の領域において、穴２３１が無い場合であるｃ＝１よりも損失が小さくなっている。したがって、０．２＜ｃ＜１に設定することで、穴２３１を形成しない場合よりも損失を小さくすることができる。つまり、筒型導電性部材２３の外周面において欠損部群が占める面積の割合を０％よりも大きくかつ８０％以下とすることで、損失を小さくすることができる。
【００５４】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５５】
１  回転電機、２，１０２  回転子、３，１０３  固定子、４  固定子コア、５，１０５  固定子コイル、５ａ  コイルエンド、２１  シャフト、２２，１２２  永久磁石、２３，１２３  筒型導電性部材、２４  保持部材、２５  磁石間領域、２６  スリット、３２  充填材、４１  バックヨーク、４２，１４２  ティース、４３  スロット、２３１  穴、２３２  第１の対向部、２３３  第２の対向部。
【要約】
回転電機（１）は、回転子（２）及び固定子（３）を有し、回転子（２）は、柱状で回転子コアを兼ねるシャフト（２１）と、シャフト（２１）の周方向において互いに間隔を空けて、シャフト（２１）の外周面に配置された複数の永久磁石（２２）と、シャフト（２１）及び複数の永久磁石（２２）を外周側から囲む筒状の筒型導電性部材（２３）と、シャフト（２１）、複数の永久磁石（２２）及び筒型導電性部材（２３）を外周側から囲む筒状の保持部材（２４）とを備え、固定子（３）は、シャフト（２１）の径方向において、間隔を空けて回転子（２）を囲む筒状であり、内周面に複数のスロット（４３）を備え、筒型導電性部材（２３）は、導電性材料が部分的に欠損している穴（２３１）が、シャフト（２１）の周方向に沿ってスロット（４３）と同数等間隔で形成されて、複数の欠損部で構成される欠損部群が設けられている。【図１】
0006771708.tif 000002
【図２】
0006771708.tif 000003
【図３】
0006771708.tif 000004
【図４】
0006771708.tif 000005
【図５】
0006771708.tif 000006
【図６】
0006771708.tif 000007
【図７】
0006771708.tif 000008
【図８】
0006771708.tif 000009
【図９】
0006771708.tif 000010
【図１０】
0006771708.tif 000011
【図１１】
0006771708.tif 000012
【図１２】
0006771708.tif 000013
【図１３】
0006771708.tif 000014
【図１４】
0006771708.tif 000015